(57)【要約】【課題】  誤って非常信号を発生させることを抑止しかつ非常の際には確実に非常信号の発生を可能とする。【解決手段】  生体情報を取得する生体情報入力部１，２と、秘密情報が入力される秘密情報入力部３と、上記生体情報入力部１，２からの生体情報及び上記秘密情報入力部３からの秘密情報に基づいて認証処理を行う処理部４，５，６，７とを備える認証システムであって、上記処理部４，５，６，７は、予め照合用生体情報、照合用秘密情報及び非常用秘密情報を記憶しており、上記生体情報と上記照合用生体情報とが合致しかつ上記秘密情報と上記照合用秘密情報とが合致した場合に通常認証を行い、上記生体情報と上記照合用生体情報とが合致しかつ上記秘密情報と上記非常用秘密情報とが合致した場合に非常信号を発生する。【選択図】              図１
2006133850.tif 000002
【特許請求の範囲】
【請求項１】
生体情報入力部と、秘密情報入力部と、前記生体情報入力部で取得される入力生体情報及び前記秘密情報入力部で取得される入力秘密情報に基づいて認証処理を行う処理部とを備える認証システムであって、
前記処理部は、予め照合用生体情報、照合用秘密情報及び非常用秘密情報を記憶しており、前記入力生体情報と前記照合用生体情報とが合致しかつ前記入力秘密情報と前記照合用秘密情報とが合致した場合に通常認証を行い、前記入力生体情報と前記照合用生体情報とが合致しかつ前記入力秘密情報と前記非常用秘密情報とが合致した場合に非常信号を発生することを特徴とする認証システム。
【請求項２】
前記処理部は、前記入力生体情報と前記照合用生体情報が合致しなかった場合に、再び前記生体情報入力部から前記入力生体情報を取得することを特徴とする請求項１記載の認証システム。
【請求項３】
個人識別番号を入力する識別番号入力部をさらに備え、前記処理部は、複数の前記照合用生体情報を前記個人識別番号と対応付けて記憶しており、前記識別番号入力部からの前記個人識別番号に基づいて特定された前記照合用生体情報と前記入力生体情報とを照合することを特徴とする請求項１または２記載の認証システム。
【請求項４】
生体情報入力部と、秘密情報入力部と、前記生体情報入力部で取得される入力生体情報及び前記秘密情報入力部で取得される入力秘密情報に基づいて逆推定不可能な暗号パスワードを生成する暗号生成部と、前記暗号パスワードに基づいて認証処理を行う処理部とを備える認証システムであって、
前記処理部は、予め照合用暗号パスワードと非常用暗号パスワードとを記憶しており、前記暗号パスワードと前記照合用暗号パスワードとが合致した場合に通常認証を行い、前記暗号パスワードと前記非常用暗号パスワードとが合致した場合に非常信号を発生することを特徴とする認証システム。
【請求項５】
個人識別番号を入力する識別番号入力部をさらに備え、前記処理部は、複数の前記照合用暗号パスワード及び複数の前記非常用暗号パスワードを前記個人識別番号に対応付けて記憶しており、前記識別番号入力部からの前記個人識別番号に基づいて特定された前記照合用暗号パスワード及び前記非常用暗号パスワードと前記暗号パスワードとを照合することを特徴とする請求項４記載の認証システム。
【請求項６】
入力生体情報及び入力秘密情報を取得し、取得した当該入力生体情報及び入力秘密情報に基づいて認証処理を行う認証方法であって、
予め照合用生体情報、照合用秘密情報及び非常用秘密情報を記憶し、前記入力生体情報と前記照合用生体情報とが合致しかつ前記入力秘密情報と前記照合用秘密情報とが合致した場合に通常認証を行い、前記入力生体情報と前記照合用生体情報とが合致しかつ前記入力秘密情報と前記非常用秘密情報とが合致した場合に非常信号を発生することを特徴とする認証方法。
【請求項７】
入力生体情報及び入力秘密情報を取得し、取得した当該入力生体情報及び入力秘密情報に基づいて逆推定不可能な暗号パスワードを生成し、該暗号パスワードに基づいて認証処理を行う認証方法であって、
予め照合用暗号パスワードと非常用暗号パスワードとを記憶し、前記暗号パスワードと前記照合用暗号パスワードとが合致した場合に通常認証を行い、前記暗号パスワードと前記非常用暗号パスワードとが合致した場合に非常信号を発生することを特徴とする認証方法。
【請求項８】
生体認証部によって取得された生体認証情報と秘密情報とに基づいて逆推定不可能な暗号パスワードを生成する暗号生成部と、
前記暗号生成部において生成された暗号パスワードを出力する出力端子と
を備えることを特徴とするＩＤカード。
【請求項９】
個人識別番号を予め記憶し、外部からの要求に応じて前記個人識別番号を前記出力端子を介して出力することを特徴とする請求項８記載のＩＤカード。
【発明の詳細な説明】
【技術分野】
【０００１】
本発明は、認証システム及び方法、並びにＩＤカードに関するものである。
【背景技術】
【０００２】
指紋や虹彩等の生体情報は、個人に固有であり、終生不変であることから個人認証に利用されている。ところが、このような生体情報を個人認証に用いる場合には、予め記憶装置に生体情報を記憶させておく必要がある。このため、記憶装置に記憶させた生体情報が万が一盗用された場合には、生体情報が終生不変であるがために個人を認証するための情報を変えることができず、信頼性の高い個人認証を行うことができなくなる。
【０００３】
このような問題を解決するために、特許文献１には、秘密情報（パスワード等）によって暗号化された、逆推定不可能な暗号パスワードを記憶装置に記憶させ、この暗号パスワードに基づいて個人認証を行う技術が開示されている。この技術によれば、秘密情報と生体情報とを組合わせた暗号パスワードを用いるため、セキュリティが高い個人認証を行うことができる。また、万が一、記憶装置に記憶された暗号パスワードが盗用された場合であっても、暗号パスワードから生体情報を逆推定することが不可能であるためにその個人の生体情報自体が盗用されることを防止することができるとともに、秘密情報を変更することによって個人認証を行うための暗号パスワードを変更することが可能となる。
【特許文献１】特開２０００−７６１９５号公報
【特許文献２】特開昭６３−１５０７８０号公報
【特許文献３】特開２００３−３４６１３３号公報
【発明の開示】
【発明が解決しようとする課題】
【０００４】
しかしながら、上述のような技術を用いた場合であっても、脅迫等により、本人の意思に反して強制的に認証させられることを防ぐことはできない。
このような問題に対して、予め記憶装置に通常認証用の生体情報（例えば、人差し指の指紋パターン）と非常用の生体情報（例えば、中指の指紋パターン）とを記憶させておき、非常用の生体情報で認証が行われた場合には、非常信号を発生する認証システムが開示されている（特許文献２参照）。また、指の向き（指紋パターンの向き）によって、通常の認証と非常時の認証とを切り替える認証システムも開示されている（特許文献３参照）。しかしながら、特許文献２及び３に開示された技術においては、本人が非常信号を発生させる意思がない場合であっても、誤って非常用の生体情報を用いてしまう恐れがある。
【０００５】
本発明は、上述する問題点に鑑みてなされたもので、誤って非常信号を発生させることを抑止しかつ非常の際には確実に非常信号の発生を可能とすることを目的とする。
【課題を解決するための手段】
【０００６】
上記目的を達成するために、本発明の認証システムは、生体情報入力部と、秘密情報入力部と、上記生体情報入力部で取得される入力生体情報及び上記秘密情報入力部で取得される入力秘密情報に基づいて認証処理を行う処理部とを備える認証システムであって、上記処理部は、予め照合用生体情報、照合用秘密情報及び非常用秘密情報を記憶しており、上記入力生体情報と上記照合用生体情報とが合致しかつ上記入力秘密情報と上記照合用秘密情報とが合致した場合に通常認証を行い、上記入力生体情報と上記照合用生体情報とが合致しかつ上記入力秘密情報と上記非常用秘密情報とが合致した場合に非常信号を発生することを特徴とする。
【０００７】
また、本発明の認証方法は、入力生体情報及び入力秘密情報を取得し、取得した当該入力生体情報及び入力秘密情報に基づいて認証処理を行う認証方法であって、予め照合用生体情報、照合用秘密情報及び非常用秘密情報を記憶し、上記入力生体情報と上記照合用生体情報とが合致しかつ上記入力秘密情報と上記照合用秘密情報とが合致した場合に通常認証を行い、上記入力生体情報と上記照合用生体情報とが合致しかつ上記入力秘密情報と上記非常用秘密情報とが合致した場合に非常信号を発生することを特徴とする。
【０００８】
このような特徴を有する本発明の認証システム及び方法によれば、予め照合用生体情報、照合用秘密情報及び非常用秘密情報が記憶され、上記入力生体情報と上記照合用生体情報とが合致しかつ上記入力秘密情報と上記照合用秘密情報とが合致した場合に通常認証が行われ、上記入力生体情報と上記照合用生体情報とが合致しかつ上記入力秘密情報と上記非常用秘密情報とが合致した場合に非常信号が発生される。
このように本発明の認証システム及び方法によれば、通常時あるいは非常時に関わらず認証処理に用いられる生体情報は１つであり、通常時か非常時かは、入力される秘密情報が照合用秘密情報と合致するか非常用秘密情報と合致するかによって判断される。なお、ここで言う秘密情報とは、認証者本人のみが知る情報であり、生体情報とは異なるものである。例えば、この秘密情報としてはパスワード等を用いることができる。このような秘密情報は、生体情報とは別に入力する必要がある。このため、認証者本人が２つの生体情報（通常時の生体情報と非常時の生体情報）のどちらの生体情報を用いたかによって通常時か非常時かを判断する従来の認証システムと比較して誤作動の可能性が極めて低くなる。
また、秘密情報は認証者本人のみが知り得る情報であるため、認証者本人が脅迫等されている場合であっても、脅迫者に気づかれることなく非常用秘密情報と合致する秘密情報を入力することができるため、非常の際には確実に非常信号の発生を可能とすることができる。
したがって、本発明の認証システム及び方法によれば、誤って非常信号を発生させることを抑止しかつ非常の際には確実に非常信号の発生を可能とすることができる。
【０００９】
なお、本発明の認証システムにおいて、上述のように処理部が入力生体情報と照合用生体情報とを照合する場合には、上記処理部が、上記入力生体情報と上記照合用生体情報が合致しなかった場合に、再び上記生体情報入力部から上記入力生体情報を取得するという構成を採用することができる。
このような構成を採用する本発明の認証システムによれば、生体情報入力部において取得された入力生体情報と予め記憶された照合用生体情報が合致しなかった場合に、再び生体情報入力部から入力生体情報が取得される。このため、生体情報入力部における生体情報の取得精度が好ましくない場合であっても、認証者本人の認証が通らなくなることを抑止することが可能となる。
【００１０】
また、本発明の認証システムにおいて、上述のように処理部が入力生体情報と照合用生体情報とを照合する場合には、個人識別番号を入力する識別番号入力部をさらに備え、上記処理部は、複数の上記照合用生体情報を上記個人識別番号と対応付けて記憶しており、上記識別番号入力部からの上記個人識別番号に基づいて特定された上記照合用生体情報と上記入力生体情報とを照合するという構成を採用することができる。
このような構成を採用する本発明の認証システムによれば、複数の照合用生体情報が個人識別番号と対応付けて記憶されており、個人識別番号に基づいて特定された照合用生体情報と入力生体情報とが照合される。
処理部に複数の照合用生体情報が記憶されている場合には、処理部は、生体情報入力部からの入力生体情報と複数の照合用生体情報とを全て照合しなくてはならない。これに対して、本発明のように、個人識別番号に基づいて照合用生体情報が特定される場合には、処理部は、特定された照合用生体情報と生体情報入力部からの入力生体情報とを照合するのみで済むため、処理部の負担を大幅に軽減することができ、迅速な認証処理を行うことが可能となる。
【００１１】
次に、本発明の認証システムは、生体情報入力部と、秘密情報入力部と、上記生体情報入力部で取得される入力生体情報及び上記秘密情報入力部で取得される入力秘密情報に基づいて逆推定不可能な暗号パスワードを生成する暗号生成部と、上記暗号パスワードに基づいて認証処理を行う処理部とを備える認証システムであって、上記処理部は、予め照合用暗号パスワードと非常用暗号パスワードとを記憶しており、上記暗号パスワードと上記照合用暗号パスワードとが合致した場合に通常認証を行い、上記暗号パスワードと上記非常用暗号パスワードとが合致した場合に非常信号を発生することを特徴とする。
また、本発明の認証方法は、入力生体情報及び入力秘密情報を取得し、取得した当該入力生体情報及び入力秘密情報に基づいて逆推定不可能な暗号パスワードを生成し、該暗号パスワードに基づいて認証処理を行う認証方法であって、予め照合用暗号パスワードと非常用暗号パスワードとを記憶し、上記暗号パスワードと上記照合用暗号パスワードとが合致した場合に通常認証を行い、上記暗号パスワードと上記非常用暗号パスワードとが合致した場合に非常信号を発生することを特徴とする。
【００１２】
このような特徴を有する本発明の認証システム及び方法によれば、予め照合用暗号パスワードと非常用暗号パスワードとが記憶され、暗号パスワードと照合用暗号パスワードとが合致した場合に通常認証が行われ、暗号パスワードと非常用暗号パスワードとが合致した場合に非常信号が発生される。
このような本発明の認証システム及び方法においても、上述のように、誤って非常信号を発生させることを抑止しかつ非常の際には確実に非常信号の発生を可能とすることができる。また、予め記憶されているのは、生体情報及び秘密情報に基づいて生成された逆推定不可能な暗号パスワードと同様の照合用暗号パスワード及び非常用暗号パスワードであるため、万が一、照合用暗号パスワードや非常用暗号パスワードが盗用された場合であっても、その照合用暗号パスワードや非常用暗号パスワードから認証者本人の生体情報を推定することは不可能であり、認証者本人の生体情報が盗用されることを防止することができる。また、当然ながら生体情報及び秘密情報に基づいて生成された暗号パスワードも逆推定不可能であるため、暗号パスワードが盗用された場合であっても認証者本人の生体情報を推定することは不可能であり、認証者本人の生体情報が盗用されることを防止することができる。また、暗号パスワードは、秘密情報を変えることによって容易に変えることが可能であるため、暗号パスワード、照合用暗号パスワードあるいは非常用暗号パスワードが盗用された場合であっても、即座に盗用された暗号パスワード、照合用暗号パスワードあるいは非常用暗号パスワードを無効化して新たな暗号パスワード、照合用暗号パスワードあるいは非常用暗号パスワードを発行することができる。
【００１３】
また、本発明の認証システムにおいては、上述のように処理部が暗号パスワードと照合用暗号パスワード及び非常用暗号パスワードとを照合する場合には、個人識別番号を入力する識別番号入力部をさらに備え、上記処理部は、複数の上記照合用暗号パスワード及び複数の上記非常用暗号パスワードを上記個人識別番号に対応付けて記憶しており、上記識別番号入力部からの上記個人識別番号に基づいて特定された上記照合用暗号パスワード及び上記非常用暗号パスワードと上記暗号パスワードとを照合するという構成を採用することができる。
このような構成を採用する本発明の認証システムによれば、複数の照合用暗号パスワード及び複数の非常用暗号パスワードが個人識別番号と対応付けて記憶されており、個人識別番号に基づいて特定された照合用暗号パスワード及び非常用暗号パスワードと暗号パスワードとが照合される。
処理部に複数の照合用暗号パスワード及び複数の非常用暗号パスワードが記憶されている場合には、処理部は、複数の照合用暗号パスワード及び複数の非常用暗号パスワードと暗号パスワードとを全て照合しなくてはならない。これに対して、本発明のように、個人識別番号に基づいて照合用暗号パスワード及び非常用暗号パスワードが特定される場合には、処理部は、特定された照合用暗号パスワード及び非常用暗号パスワードと暗号パスワードとを照合するのみで済むため、処理部の負担を大幅に軽減することができ、迅速な認証処理を行うことが可能となる。
【００１４】
次に、本発明のＩＤカードは、生体認証部によって取得された生体認証情報と秘密情報とに基づいて逆推定不可能な暗号パスワードを生成する暗号生成部と、上記暗号生成部において生成された暗号パスワードを出力する出力端子とを備えることを特徴とする。
このような特徴を有する本発明のＩＤカードによれば、ＩＤカード内において暗号パスワードが生成され、この暗号パスワードが出力端子を介して外部に出力される。このため、ＩＤカードと外部装置との間において、情報が盗まれた場合であっても、その盗まれた情報は暗号パスワードであるため、盗用者がＩＤカードの所有者本人の生体情報を取得することを防止することができる。
【００１５】
また、本発明のＩＤカードにおいては、個人識別番号を予め記憶し、外部からの要求に応じて上記個人識別番号を上記出力端子を介して出力するという構成を採用することができる。
このような構成を採用することによって、例えば、外部装置において複数の照合用暗号パスワードが個人識別番号に対応付けて記憶されている場合には、外部装置において、ＩＤカードに予め記憶された個人識別番号に基づいて複数の照合用暗号パスワードからある１つの照合用暗号パスワードを特定することが可能となる。このため、外部装置における処理負担が軽減し、個人認証に要する時間を短縮することが可能となる。
【発明を実施するための最良の形態】
【００１６】
以下、図面を参照して、本発明に係る認証システム及び方法、並びにＩＤカードの一実施形態について説明する。
【００１７】
（第１実施形態）
図１は、本第１実施形態の認証システムＳ１の機能構成を示したブロック図である。
この図に示すように、本第１実施形態の認証システムＳ１は、生体情報入力部１と特徴抽出部２と秘密情報入力部３と照合部４と認証用データ記憶部５と認証結果出力部６と非常用信号発生装置７とを備えて構成されている。
【００１８】
生体情報入力部１は、認証者の生体情報を入力するためのものであり、入力された生体情報を信号として出力するものである。このような生体情報入力部１としては、例えば、指紋センサや虹彩センサ等を用いることができる。
特徴抽出部２は、生体情報入力部１から生体情報が入力され、この生体情報の特徴部分を抽出して出力するものである。
【００１９】
秘密情報入力部３は、認証者本人のみが知る秘密情報を入力するためのものであり、入力された秘密情報を信号として出力する。なお、ここで言う秘密情報とは、生体情報とは異なるものであり、例えば、パスワード等が用いられる。また、秘密情報入力部としては、テンキー等を用いることができる。
【００２０】
認証用データ記憶部５は、照合用生体情報、照合用秘密情報及び非常用秘密情報が予め記憶されている。
照合部４は、特徴抽出部２を介して生体情報入力部１から入力される生体情報と認証用データ記憶部５に予め記憶された照合用生体情報とを比較するとともに、秘密情報入力部３から入力される秘密情報と認証用データ記憶部５に予め記憶された照合用秘密情報及び非常用秘密情報とを比較し、これらの比較結果を認証結果として出力するものである。
認証結果出力部６は、照合部４から入力される認証結果に応じた処理を行うものであり、照合部４からの認証結果が通常時を示すものであれば通常の認証処理を行い、照合部４からの認証結果が非常時を示すものであれば非常用信号発生装置７によって非常信号を生成して出力する。
なお、本実施形態においては、本発明の処理部は、照合部４、認証用データ記憶部５、認証結果出力部６及び非常用信号発生装置７を備えて構成されている。
【００２１】
次に、このように構成された本実施形態の認証システムの動作（認証方法）について、図２及び図３のフローチャートを参照して説明する。
【００２２】
最初に、図２のフローチャートを参照して本実施形態の認証システムＳ１における認証用データ記憶部５に照合用生体情報、照合用秘密情報及び非常用秘密情報を記憶させる手順について説明する。
図２に示すように、まず、認証者本人から生体情報が取得される（ステップＳ１０１）。具体的には、生体情報入力部１において入力される認証者本人の生体情報の特徴部が特徴抽出部２によって抽出され、この抽出されたデータが照合用生体情報として取得される。なお、ここで言う認証者本人とは、正規の認証されるべき人間の意味である。
【００２３】
続いて、認証者本人の秘密情報が取得される（ステップＳ１０２）。具体的には、秘密情報入力部３において入力された秘密情報が取得される。なお、本実施形態の認証システムＳ１においては、このステップＳ１０２において、秘密情報として照合用秘密情報と非常用秘密情報との２つが取得される。照合用秘密情報とは、通常時に認証者本人が用いる秘密情報であり、非常用秘密情報とは、非常時に認証者本人が用いる秘密情報である。
【００２４】
そして、ステップＳ１０１及びステップＳ１０２において取得された照合用生体情報と秘密情報とが認証用データ記憶部５に記憶される（ステップＳ１０３）。
以上のような一連の手順を経て、認証用データ記憶部５に照合用生体情報、照合用秘密情報及び非常用秘密情報が記憶される。
【００２５】
次に、上述のようにして認証用データ記憶部５に照合用生体情報、照合用秘密情報及び非常用秘密情報が記憶された認証システムＳ１における認証方法について、図３のフローチャートを参照して説明する。
【００２６】
まず、認証者の生体情報が入力される（ステップＳ２０１）。具体的には、生体情報入力部１によって認証者の生体情報が入力される。なお、ここで言う認証者とは、正規の認証されるべき人間の他に認証されるべきでない第三者を含む意味である。
続いて、生体情報の特徴部が抽出される（ステップＳ２０２）。具体的には、ステップＳ２０１において入力された生体情報の特徴部が特徴抽出部２によって抽出される。なお、この特徴抽出部２において抽出された生体情報の特徴部が本発明の生体情報として用いられる。
このようなステップＳ２０１及びステップＳ２０２を経ることによって、認証者の生体情報が取得される。
【００２７】
続いて、ステップＳ２０１及びステップＳ２０２を経ることによって取得された認証者の生体情報と照合用生体情報とが合致するかが判断される（ステップＳ２０３）。具体的には、照合部４が認証者の生体情報と認証用データ記憶部５に記憶された照合用生体情報とを比較することによって、認証者の生体情報と照合用生体情報とが合致するかが判断される。
【００２８】
その結果、認証者の生体情報と照合用生体情報とが合致しない場合には、認証者が秘密情報を入力する工程（ステップＳ２０４）を経た後、認証者が拒否される（ステップＳ２１０）。ここで、認証者が秘密情報を入力する工程（ステップＳ２０４）を経た後に認証者を拒否するのは、認証者に対して、生体情報の認証が拒否されたか秘密情報の認証が拒否されたかを悟らせないためである。これによって、悪意を有する第三者に生体情報の認証が拒否されたか秘密情報の認証が拒否されたかを知られることがないため、認証システムＳ１におけるセキュリティをより向上させることができる。
一方、認証者の生体情報と照合用生体情報とが合致した場合には、秘密情報が入力される（ステップＳ２０５）。具体的には、認証者が秘密情報入力部３によって秘密情報を入力し、この入力された秘密情報が取得される。
【００２９】
次に、ステップＳ２０５において取得された秘密情報と照合用秘密情報とが合致するかが判断される（ステップＳ２０６）。具体的には、照合部４が秘密情報と認証用データ記憶部５に記憶された照合用秘密情報とを比較することによって、秘密情報と照合用秘密情報とが合致するかが判断される。
【００３０】
その結果、秘密情報と照合用秘密情報が合致した場合には、その後、認証結果出力部６によって通常時の認証処理が行われる（ステップＳ２０７）。
一方、秘密情報と照合用秘密情報とが合致しない場合には、秘密情報と非常用秘密情報とが合致するかが判断される（ステップＳ２０８）。具体的には、照合部４が秘密情報と認証用データ記憶部５に記憶された非常用秘密情報とを比較することによって、秘密情報と非常用秘密情報とが合致するかが判断される。
【００３１】
その結果、秘密情報と非常用秘密情報が合致した場合には、非常信号が発生される（ステップＳ２０９）。具体的には、秘密情報と非常用秘密情報とが合致したことを示す信号が非常用信号発生装置７に伝達され、この信号に基づいて非常用信号発生装置７において非常信号が発生される。なお、非常用信号発生装置７によって発生された非常信号は、例えば、警備会社等に伝達される。
一方、秘密情報と非常用秘密情報が合致しない場合には、認証者が拒否される（ステップＳ２１０）。
【００３２】
このように、本実施形態の認証システム及び方法によれば、通常時あるいは非常時に関わらず認証処理に用いられる生体情報は１つであり、通常時か非常時かは、秘密情報が照合用秘密情報と合致するか非常用秘密情報と合致するかによって判断される。このような秘密情報は、生体情報とは別に入力される。このため、認証者本人が２つの生体情報（通常時の生体情報と非常時の生体情報）のどちらの生体情報を用いたかによって通常時か非常時かを判断する従来の認証システムと比較して誤作動の可能性が極めて低くなる。
また、秘密情報は認証者本人のみが知り得る情報であるため、認証者本人が脅迫等されている場合であっても、脅迫者に気づかれることなく非常用秘密情報と合致する秘密情報を入力することができるため、非常の際には確実に非常信号の発生を可能とすることができる。
したがって、本発明の認証システム及び方法によれば、誤って非常信号を発生させることを抑止しかつ非常の際には確実に非常信号の発生を可能とすることができる。
【００３３】
次に、上述のような機能構成を有する認証システムの具体例について図４を参照して説明する。
図４は、本実施形態の認証システムＳ１の具体例を示した概略構成図である。この図に示すように、本実施形態の認証システムＳ１は、ＩＤカード１０、認証用端末２０、認証用データ管理サーバ３０及び緊急通報端末４０を備えて構成されている。
【００３４】
ＩＤカード１０は、指紋センサ１１とＣＰＵ、ＲＡＭ及びＲＯＭ等を備えるＩＣチップ１２とＲＦ入出力インターフェイス１３とを備えて構成されている。そして、指紋センサ１１が上述の生体認証入力部１としての機能を有しており、ＩＣチップ１２が上述の特徴抽出部２としての機能を有している。
【００３５】
指紋センサ１１としては、静電容量型指紋センサを用いることができる。静電容量型の指紋センサは、図５に示すように、凹凸を有する指紋と検出面１０ａとの間の距離に応じて変化する静電容量を測定して、指紋パターンを検出するようになっている。このような静電容量型の指紋センサは、光源が不要であるために薄型化することが容易であり、かつ表面保護層（パッシベーション膜）を適切に選択することによって、耐傷性を向上させることができるという特徴がある。
指紋センサは、センサ基板１１５を有しており、このセンサ基板１１５上には、所定の間隔を空けて互いに平行に形成された不図示の複数の走査線と、この走査線に対して直交するように所定の間隔を空けて互いに平行に形成された複数の信号線１１６とが設けられている。
【００３６】
複数の走査線と複数の信号線１１６との交点のそれぞれに対応する位置には、トランジスタ等によって構成されるスイッチング素子１１２が設けられている。
これらの走査線、信号線１１６およびスイッチング素子１１２によって、アクティブマトリクスアレイ１１３が構成されており、このアクティブマトリクスアレイ１１３の上には、検出電極１１１が各スイッチング素子１１２に対応する位置にマトリックス状に設けられている。
各検出電極１１１は、アクティブマトリクスアレイ１１３の全面を覆うように絶縁膜１１４にて覆われており、絶縁膜１１４は、ＩＤカード１０の利用者の指Ｆと接触可能になっている。
なお、アクティブマトリクスアレイ１１３としては、半導体基板上に形成されたＭＯＳトランジスタアレイ、絶縁基板上に形成された薄膜トランジスタ（ＴＦＴ）等を用いることができる。
【００３７】
このような構成を有する指紋センサにおいては、指Ｆが検出面１０ａに接触すると、指Ｆとマトリックス状に配置された各検出電極１１１との間に、２次元的に分布する静電容量が発生する（図５のＣ１，Ｃ２，Ｃ３等）。この２次元的に分布した各静電容量の値をアクティブマトリクスアレイ１１３によって電気的に読み出すことにより、指Ｆの表面に形成された微細な凹凸形状のパターン（指紋パターン）を検出することができる。静電容量方式を用いた指紋センサにおいて、人体に帯電した静電気による放電破壊を回避するためには、検出前において、指Ｆに帯電した静電気を放電し、指Ｆの電位をスイッチング素子１１２のグランド（基準電位）Ｇレベルと略同一の電位にしておくことが必須である。更に、各静電容量の値を安定して検出するためには、検出時において、指Ｆの電位を所定の電位に固定することが好ましい。
このため、検出電極とは異なる電極、すなわち人体に帯電した静電気を放電させる放電用電極１２０をＩＤカード１０の基板上に設けている。
【００３８】
ＩＣチップ１２は、ＩＤカード１０の動作を制御するとともに、上述の特徴抽出部２としての機能を有しているため指紋センサ１１において検出された指紋パターンから特徴部を抽出して出力する。
ＲＦ入出力インターフェイスは、高周波を用いて信号を送受信するものである。そして、ＩＣチップ１２によって抽出された指紋パターンの特徴部もこのＲＦ入出力インターフェイスを介して出力される。
【００３９】
認証用端末２０は、テンキー２１、ＩＣチップ２２、ＲＦ入出力インターフェイス２３及び入出力インターフェイス２４を備えて構成されている。そして、テンキー２１が上述の秘密情報入力部３としての機能を有している。
【００４０】
テンキー２１は、認証者が秘密情報としてのパスワードを入力するためのものである。また、ＩＣチップ２２は、認証用端末２０の動作を制御するためのものであるとともに、上述の照合部４及び認証結果出力部６としての機能を有している。
ＲＦ入出力インターフェイス２３は、高周波によって信号を送受信するものであり、ＩＤカード１０のＲＦ入出力インターフェイス１３との間において信号を送受信する。
入出力インターフェイス２４は、外部に設置される認証用データサーバ３０及び緊急通報端末４０とネットワークＮを介して接続されており、ネットワークＮを介して信号を入出力する。
【００４１】
認証用データ管理サーバ３０は、上述の認証用データ記憶部５としての機能を有しており、ネットワークＮを介して認証用端末２０と接続されている。
緊急通報端末４０は、非常信号を発生し外部の警備会社等に出力するものであり、上述の非常用信号発生装置７としての機能を有している。
【００４２】
なお、このような構成を有する認証システムＳ１においては、ＩＤカード１０の指紋センサ１１によって指紋パターン（生体情報）が検出され、その特徴部がＲＦ入出力インターフェイス１３，２３を介して認証用端末２０のＩＣチップ２２に入力される。また、テンキー２１において入力された秘密情報も認証用端末２０のＩＣチップ２２に入力される。そして、認証用端末２０のＩＣチップ２２が、ネットワークＮを介して認証用データ管理サーバ３０から照合用生体情報、照合用秘密情報及び非常用秘密情報を取得し、これらの照合用生体情報、照合用秘密情報及び非常用秘密情報と、指紋パターンの特徴部及び秘密情報とを比較することによって認証処理が行われる。
【００４３】
（第２実施形態）
次に、図６のフローチャートを参照して、本発明の第２実施形態について説明する。なお、本第２実施形態の説明において、上記第１実施形態と同様の部分についてはその説明を省略あるいは簡略化する。
【００４４】
図６に示すように、本第２実施形態の認証システムの動作においては、取得された認証者の生体情報と照合用生体情報とが合致しなかった場合（ステップＳ２０３）に行われる認証者が秘密情報を入力する工程（ステップＳ２０４）の前に照合処理回数が所定回数（例えば３回）未満かが判断される（ステップＳ２１１）。なお、ここで言う照合処理とは、生体情報の特徴部と照合用生体情報とを比較（照合）する処理のことである。
【００４５】
その結果、照合処理回数が所定回数未満であった場合には、再び、ステップＳ２０１に戻って認証者の生体情報が取得される。すなわち、本実施形態の認証システムにおいては、認証者の生体情報と照合用生体情報が合致しなかった場合に、再び生体情報が取得される。このため、生体情報入力部における生体情報の取得精度が好ましくない場合であっても、認証者本人の認証が通らなくなることを抑止することが可能となる。
なお、所定回数照合処理を行っても認証者の生体情報と照合用生体情報とが合致しなかった場合、すなわちステップＳ２１１において照合処理回数が所定回数未満ではないと判断された場合には、認証者が秘密情報を入力する工程（ステップＳ２０４）を経て、認証者が拒否される（ステップＳ２１０）。
【００４６】
（第３実施形態）
次ぎに、本発明の第３実施形態について説明する。なお、本第３実施形態の説明においても、上記第１実施形態と同様の部分についてはその説明を省略あるいは簡略化する。
【００４７】
図７は、本第３実施形態の認証システムＳ２の機能構成を示すブロック図である。この図に示すように、本実施形態の認証システムＳ２は、さらに暗号生成部８を備えて構成されている。
この暗号生成部８は、生体情報入力部１（特徴抽出部２）からの生体情報及び秘密情報入力部からの秘密情報に基づいて逆推定不可能な暗号パスワードを生成するものであり、生成した暗号パスワードを照合部４に入力する。
また、本実施形態の認証システムＳ２においては、認証用データ記憶部５に照合用生体情報、照合用秘密情報及び非常用秘密情報と代わって照合用暗号パスワード及び非常用暗号パスワードが記憶されている。なお、これらの照合用暗号パスワード及び非常用暗号パスワードも生体情報が逆推定不可能とされている。
【００４８】
次に、このように構成された本第３実施形態の認証システムＳ２の動作（認証方法）について、図８及び図９のフローチャートを参照して説明する。
【００４９】
最初に、図８のフローチャートを参照して本実施形態の認証システムＳ２における認証用データ記憶部５に照合用暗号パスワード及び非常用暗号パスワードを記憶させる手順について説明する。
図８に示すように、まず、認証者本人から生体情報が取得される（ステップＳ３０１）。具体的には、生体情報入力部１において入力される認証者本人の生体情報の特徴部が特徴抽出部２によって抽出され、この抽出されたデータが取得される。
【００５０】
続いて、認証者本人の通常時の秘密情報が取得される（ステップＳ３０２）。具体的には、秘密情報入力部３において入力された通常時の秘密情報が取得される。
そして、ステップＳ３０１において取得された生体情報とステップＳ３０２において取得された通常時の秘密情報とに基づいて照合用暗号パスワードが生成される（ステップＳ３０３）。具体的には、暗号生成部８が生体情報と通常時の秘密情報とに基づいて照合用暗号パスワードを生成する。  
その後、ステップＳ３０２において生成された照合用暗号パスワードが認証用データ記憶部５に記憶される（ステップＳ３０４）。
【００５１】
続いて、認証者本人の非常時の秘密情報が取得される（ステップＳ３０５）。具体的には、秘密情報入力部３において入力された非常時の秘密情報が取得される。
そして、ステップＳ３０１において取得された生体情報とステップＳ３０５において取得された非常時の秘密情報とに基づいて非常用暗号パスワードが生成される（ステップＳ３０６）。具体的には、暗号生成部８が生体情報と非常時の秘密情報とに基づいて非常用暗号パスワードを生成する。
その後、ステップＳ３０６において生成された非常用暗号パスワードが認証用データ記憶部５に記憶される（ステップＳ３０７）。
【００５２】
以上のような一連の手順を経て、認証用データ記憶部５に照合用生体情報、照合用秘密情報及び非常用秘密情報が記憶される。
【００５３】
次に、上述のようにして認証用データ記憶部５に照合用暗号パスワード及び非常用暗号パスワードが記憶された認証システムＳ２における認証方法について、図９を参照して説明する。
【００５４】
まず、認証者の生体情報が入力される（ステップＳ４０１）。具体的には、生体情報入力部１によって認証者の生体情報が入力される。
続いて、生体情報の特徴部が抽出される（ステップＳ４０２）。具体的には、ステップＳ４０１において入力された生体情報の特徴部が特徴抽出部２によって抽出される。
このようなステップＳ４０１及びステップＳ４０２を経ることによって、認証者の生体情報が取得される。
【００５５】
その後、秘密情報が入力される（ステップＳ４０３）。具体的には、認証者が秘密情報入力部３によって秘密情報を入力し、この入力された秘密情報が取得される。
【００５６】
そして、ステップＳ４０１及びステップＳ４０２を経ることによって取得された認証者の生体情報とステップＳ４０３において取得された秘密情報とに基づいて暗号パスワードが生成される（ステップＳ４０４）。具体的には、暗号生成部８が生体情報と秘密情報とに基づいて暗号パスワードを生成する。
【００５７】
続いて、ステップＳ４０４において生成された暗号パスワードと照合用暗号パスワードが合致するかが判断される（ステップＳ４０５）。具体的には、照合部４が暗号パスワードと認証用データ記憶部５に記憶された照合用暗号パスワードとを比較することによって、暗号パスワードと照合用暗号パスワードとが合致するかが判断される。
【００５８】
その結果、暗号パスワードと照合用暗号パスワードとが合致した場合には、その後、認証結果出力部６によって通常時の認証処理が行われる（ステップＳ４０６）。
一方、暗号パスワードと照合用暗号パスワードとが合致しない場合には、続いて暗号パスワードと非常用暗号パスワードとが合致するかが判断される（ステップＳ４０７）。具体的には、照合部４が暗号パスワードと認証用データ記憶部５に記憶された非常用暗号パスワードとを比較することによって、暗号パスワードと非常用暗号パスワードとが合致するかが判断される。
【００５９】
その結果、暗号パスワードと非常用暗号パスワードとが合致した場合には、非常信号が発生される（ステップＳ４０８）。具体的には、暗号パスワードと非常用暗号パスワードとが合致したことを示す信号が非常用信号発生装置７に伝達され、この信号に基づいて非常用信号発生装置７において非常信号が発生される。
一方、暗号パスワードと非常用暗号パスワードが合致しない場合には、認証者が拒否される（ステップＳ４０９）。
【００６０】
このような本実施形態の認証システム及び方法においても、上述のように、誤って非常信号を発生させることを抑止しかつ非常の際には確実に非常信号の発生を可能とすることができる。また、予め記憶されているのは、生体情報及び秘密情報に基づいて生成された逆推定不可能な暗号パスワードと同様の照合用暗号パスワード及び非常用暗号パスワードであるため、万が一、照合用暗号パスワードや非常用暗号パスワードが盗用された場合であっても、その照合用暗号パスワードや非常用暗号パスワードから認証者本人の生体情報を推定することは不可能であり、認証者本人の生体情報が盗用されることを防止することができる。また、当然ながら生体情報及び秘密情報に基づいて生成された暗号パスワードも逆推定不可能であるため、暗号パスワードが盗用された場合であっても認証者本人の生体情報を推定することは不可能であり、認証者本人の生体情報が盗用されることを防止することができる。また、暗号パスワードは、秘密情報を変えることによって容易に変えることが可能であるため、暗号パスワード、照合用暗号パスワードあるいは非常用暗号パスワードが盗用された場合であっても、即座に盗用された暗号パスワード、照合用暗号パスワードあるいは非常用暗号パスワードを無効化して新たな暗号パスワード、照合用暗号パスワードあるいは非常用暗号パスワードを発行することができる。
【００６１】
なお、上述の暗号生成部８の機能は、図４に示すような認証システムにおいて、ＩＤカード１０のＩＣチップ１２に担わせることが好ましい。例えば、暗号生成部８の機能を認証用端末２０のＩＣチップ２２に担わせることもできるが、この場合には、認証者の生体情報がＩＤカード１０から認証用端末２０に伝送されることになるため、生体情報が盗用されるリスクが高まる。これに対して、ＩＤカード１０のＩＣチップ１２に暗号生成部８の機能を担わせた場合には、認証用端末２０から秘密情報がＩＤカード１０に伝送され、ＩＤカード１０において暗号パスワードが生成された後、この暗号パスワードが認証用端末２０に伝送されるため、生体情報がＩＤカード１０の外部に伝送されることがなくなり、生体情報が盗用されるリスクを低減させることが可能となる。
【００６２】
また、本実施形態の認証システムＳ２においても、上記第２実施形態の認証システムのように、ステップＳ４０６とステップＳ４０８との間に照合処理回数が所定回数未満かが判断される工程を加え、所定回数未満である場合には、再びステップＳ４０１に戻るようにしても良い。このようにすることによって、生体情報入力部における生体情報の取得精度が好ましくない場合であっても、認証者本人の認証が通らなくなることを抑止することが可能となる。
【００６３】
（第４実施形態）
次に、本発明の第４実施形態について説明する。なお、本第４実施形態の説明において、上記第３実施形態と同様の部分については、その説明を省略あるいは簡略化する。
【００６４】
図１０は、本実施形態の認証システムＳ３の機能構成を示すブロック図である。この図に示すように、本実施形態の認証システムＳ３は、上記第３実施形態の認証システムＳ２の機能構成に加え、個人識別番号を入力する識別番号入力部９をさらに備えている。
また、本実施形態の認証システムＳ３においては、認証用データ記憶部５において、複数の（複数人の）照合用暗号パスワード及び複数の（複数人の）非常用暗号パスワードが記憶されている。そして、これらの複数の照合用暗号パスワードと複数の非常用暗号パスワードとは、複数の認証者本人に割り当てられる個人識別番号に対応付けられた状態で認証用データ記憶部５において記憶されている。
【００６５】
次に、このように構成された本実施形態の認証システムＳ３の動作（認証方法）について図１１のフローチャートを参照して説明する。
【００６６】
本実施形態の認証システムＳ３の動作においては、まず、認証者の個人識別番号が取得される（ステップＳ５０１）。具体的には、認証者が識別番号を識別番号入力部９に入力することによって、個人識別番号が取得される。
【００６７】
その後、上記第３実施形態の認証システムＳ２の動作におけるステップＳ４０１〜ステップＳ４０４と同様に、認証者の生体情報が入力され（ステップＳ５０２）、さらに生体情報の特徴部が抽出され（ステップＳ５０３）、認証者の秘密情報が取得され（ステップＳ５０４）、認証者の生体情報及び秘密情報に基づいて暗号パスワードが生成される（ステップＳ５０５）。
【００６８】
続いて、本実施形態の認証システムＳ３の動作においては、ステップＳ５０１において取得された個人識別番号に基づいて、照合用暗号パスワード及び非常用暗号パスワードを特定する（ステップＳ５０６）。具体的には、認証用データ記憶部５に記憶された複数の照合用暗号パスワード及び複数の非常用暗号パスワードから、ステップＳ５０１において取得された個人識別番号と対応付けられたものが抽出されることによって、照合用暗号パスワード及び非常用暗号パスワードが特定される。なお、ステップＳ５０１において取得された個人識別番号に対応付けられる照合用暗号パスワード及び非常用暗号パスワードが認証用データ記憶部５に記憶されていない場合には、認証者が拒否される（ステップＳ５１１）。
【００６９】
次に、ステップＳ５０６において特定された照合用暗号パスワードとステップＳ５０５において生成された暗号パスワードとが合致するかが判断される（ステップＳ５０７）。具体的には、照合部４が照合用暗号パスワードと暗号パスワードとを比較することによって、照合用暗号パスワードと暗号パスワードとが合致するかが判断される。
その結果、照合用暗号パスワードと暗号パスワードとが合致した場合には、上記第３実施形態の認証システムＳ２の動作におけるステップＳ４０６と同様、通常時の認証処理が行われる（ステップＳ５０８）。
一方、照合用暗号パスワードと暗号パスワードとが合致しなかった場合には、ステップＳ５０６において特定された非常用暗号パスワードと暗号パスワードとが合致するかが判断される（ステップＳ５０９）。具体的には、照合部４が非常用暗号パスワードと暗号パスワードとを比較することによって、非常用暗号パスワードと暗号パスワードとが合致するかが判断される。
その結果、非常用暗号パスワードと暗号パスワードとが合致した場合には、上記第３実施形態の認証システムＳ２の動作におけるステップＳ４０８と同様、非常信号が発生される（ステップＳ５１０）。
一方、非常用暗号パスワードと暗号パスワードとが合致しない場合には、認証者が拒否される（ステップＳ５１１）。
【００７０】
このような本実施形態の認証システムによれば、複数の照合用暗号パスワード及び複数の非常用暗号パスワードが個人識別番号と対応付けて記憶されており、個人識別番号に基づいて特定された照合用暗号パスワード及び非常用暗号パスワードと暗号パスワードとが照合される。
一般的に、認証用データ記憶部５に複数の照合用暗号パスワード及び複数の非常用暗号パスワードが記憶されている場合には、照合部４は、複数の照合用暗号パスワード及び複数の非常用暗号パスワードと暗号パスワードとを全て照合しなくてはならない。これに対して、本実施形態のように、個人識別番号に基づいて照合用暗号パスワード及び非常用暗号パスワードが特定される場合には、照合部４は、特定された照合用暗号パスワード及び非常用暗号パスワードと暗号パスワードとを照合するのみで済むため、照合部４の負担が大幅に軽減され、迅速な認証処理を行うことが可能となる。
【００７１】
なお、図４に示すような認証システムにおいては、ＩＤカード１０のＩＣチップ１２に個人識別番号を記憶させ、認証用端末２０のＲＦ入出力インターフェイス２３に上述の識別番号入力部９の機能を担わせることが好ましい。
このような構成を採用することによって、新たに識別番号入力部９の機能を有する装置を別体に配置する必要が無くなるため、装置サイズ及び装置コストを低減させることが可能となる。また、ＩＤカード１０に個人識別番号を記憶させることによって、認証者本人が個人識別番号を記憶しなくとも良くなるとともに、ＩＤを入力する手間を省くことができるため、認証システムの使い勝手を向上させることができる。
【００７２】
また、本実施形態の認証システムＳ３においても、上記第２実施形態の認証システムのように、ステップＳ５０８とステップＳ５１０との間に照合処理回数が所定回数未満かが判断される工程を加え、所定回数未満である場合には、再びステップＳ５０２に戻るようにしても良い。このようにすることによって、生体情報入力部における生体情報の取得精度が好ましくない場合であっても、認証者本人の認証が通らなくなることを抑止することが可能となる。
【００７３】
以上、添付図面を参照しながら本発明に係る認証システム及び方法、並びにＩＤカードの好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００７４】
例えば、上記第１実施形態の認証システムにおいて、複数の照合用生体情報、複数の照合用秘密情報及び複数の非常用秘密情報を記憶し、各照合用生体情報、各照合用秘密情報及び各非常用秘密情報を個人識別番号に対応付けて記憶しておき、識別番号入力部によって入力される個人識別番号に基づいて、照合用生体情報、照合用秘密情報及び非常用秘密情報を特定付けても良い。このような構成を採用することによって、複数の照合用生体情報、複数の照合用秘密情報及び複数の非常用秘密情報が認証用データ記憶部５に記憶されている場合であっても、照合部４における処理量を軽減させ、より迅速な認証処理を行うことが可能となる。
【図面の簡単な説明】
【００７５】
【図１】本発明の第１実施形態における認証システムの機能ブロック図である。
【図２】本発明の第１実施形態における認証システムの動作を説明するためのフローチャートである。
【図３】本発明の第１実施形態における認証システムの動作を説明するためのフローチャートである。
【図４】本発明の第１実施形態における認証システムの具体例を示す概略構成図である。
【図５】指紋センサの回路図である。
【図６】本発明の第２実施形態における認証システムの動作を説明するためのフローチャートである。
【図７】本発明の第３実施形態における認証システムの機能ブロック図である。
【図８】本発明の第３実施形態における認証システムの動作を説明するためのフローチャートである。
【図９】本発明の第３実施形態における認証システムの動作を説明するためのフローチャートである。
【図１０】本発明の第４実施形態における認証システムの機能ブロック図である。
【図１１】本発明の第４実施形態における認証システムの動作を説明するためのフローチャートである。
【符号の説明】
【００７６】
Ｓ１〜Ｓ３……認証システム、１……生体情報入力部、２……特徴抽出部、３……秘密情報入力部、４……照合部（処理部）、５……認証データ記憶部（処理部）、６……認証結果出力部、７……非常用信号発生装置、８……暗号生成部、９……識別番号入力部、１０……ＩＤカード
【図１】
2006133850.tif 000003
【図２】
2006133850.tif 000004
【図３】
2006133850.tif 000005
【図４】
2006133850.tif 000006
【図５】
2006133850.tif 000007
【図６】
2006133850.tif 000008
【図７】
2006133850.tif 000009
【図８】
2006133850.tif 000010
【図９】
2006133850.tif 000011
【図１０】
2006133850.tif 000012
【図１１】
2006133850.tif 000013